(57)【特許請求の範囲】
【請求項１】
太陽電池により発生する電流を外部に出力するよう太陽電池モジュールの裏面側に設けられた電極部に電気的に接続される太陽電池モジュール用端子であって、
同一平面上に並設された４つの端子本体と、前記電極部に対して固着される４つの固定部とを備えるとともに、
前記端子本体及び前記固定部が予め予測される前記電極部の変位方向に沿って互いに移動可能になるよう、外側の２つの前記端子本体及び２つの前記固定部との間に各々第１変形部を設けると共に内側の２つの前記端子本体及び２つの前記固定部との間に各々第２変形部を設けてあり、
前記第１変形部は前記電極部の長手方向に沿って撓むＵ字状の折り曲げ部を有し、前記折り曲げ部は前記太陽電池モジュールの裏面から離間する方向に突出するよう形成され、前記第１変形部の端子本体側から前記折り曲げ部の折り返し部までの前記太陽電池モジュールの裏面に対する垂直方向における距離を前記固定部から前記第１変形部の端子本体側までの同方向における距離よりも長くし、
前記第２変形部は、前記端子本体の端部に立設して前記太陽電池モジュールの裏面に沿う第１方向に突出する第１突出部と、当該第１方向に直交する第２方向に突出し前記固定部と繋がった第２突出部とを有し、
２つの前記第１変形部に繋がった２つの前記固定部の先端は互いに対向し、
２つの前記第２変形部に繋がった２つの前記固定部は、２つの前記第１変形部に繋がった２つの前記固定部よりも内側にあって、且つ、２つの前記第２変形部に繋がった２つの前記固定部の先端は互いに対向している太陽電池モジュール用端子。
【請求項２】
同一平面上に並設された４つの端子本体と、太陽電池により発生する電流を外部に出力するよう太陽電池モジュールの裏面側に設けられた電極部に電気的に固着される４つの固定部とを有し、前記端子本体及び前記固定部が予め予測される前記電極部の変位方向に沿って互いに移動可能になるよう、外側の２つの前記端子本体及び２つの前記固定部との間に各々第１変形部を設けると共に内側の２つの前記端子本体及び２つの前記固定部との間に各々第２変形部を設けてあり、前記第１変形部は前記電極部の長手方向に沿って撓むＵ字状の折り曲げ部を有し、前記折り曲げ部は前記太陽電池モジュールの裏面から離間する方向に突出するよう形成され、前記第１変形部の端子本体側から前記折り曲げ部の折り返し部までの前記太陽電池モジュールの裏面に対する垂直方向における距離を前記固定部から前記第１変形部の端子本体側までの同方向における距離よりも長くし、
前記第２変形部は、前記端子本体の端部に立設して前記太陽電池モジュールの裏面に沿う第１方向に突出する第１突出部と、当該第１方向に直交する第２方向に突出し前記固定部と繋がった第２突出部とを有し、
２つの前記第１変形部に繋がった２つの前記固定部の先端は互いに対向し、
２つの前記第２変形部に繋がった２つの前記固定部は、２つの前記第１変形部に繋がった２つの前記固定部よりも内側にあって、且つ、２つの前記第２変形部に繋がった２つの前記固定部の先端は互いに対向している太陽電池モジュール端子を備える太陽電池モジュール用端子ボックス。
【発明の詳細な説明】
【技術分野】
【０００１】
本発明は、太陽電池モジュールの裏面側に配置される太陽電池モジュール用端子及びそれを備えた太陽電池モジュール用端子ボックスに関する。
【背景技術】
【０００２】
太陽電池モジュールは、日当たりの良い建物の屋根等に多数接続して配置される。個々の太陽電池モジュールは、図１に示す通り、その裏面に端子ボックス２０が取付けられており、外部接続用ケーブル３０を介して隣接する太陽電池モジュール１０の端子ボックス２０同士が電気的に接続される。
【０００３】
例えば、特許文献１では、太陽電池モジュールの出力を取り出すリード線としてリボン状電極線が使用されている。リボン状電極線は太陽電池モジュールの内部から延長されて外部に露出しており、太陽電池モジュールの外面に密着固定してある。このリボン状電極線に端子ボックス内の端子板の端部が半田等で固着されることで、両者が電気的に接続した状態となる。
【先行技術文献】
【特許文献】
【０００４】
【特許文献１】ＷＯ２０１０／０６７４６６号公報
【発明の概要】
【発明が解決しようとする課題】
【０００５】
特許文献１の構成では、リボン状電極線の長手方向に対して端子板の端部が直交する状態で接続されている。太陽電池モジュールのリボン状電極線と端子ボックス内の端子板とが電気的に接続した状態において、太陽電池モジュールの外面に露出するリボン状電極線が温度変化の影響を受けて長手方向に伸縮して変位することがある。特許文献１に記載されている端子板は、その末端にばね性を有する形状である。ただ、このばね性は端子板の端部とリボン状電極線との位置合わせの際に用いられるものである。したがって、リボン状電極線に端子板の端部を固着させた後にリボン状電極線が変位する場合には、端子板の末端のばね性がほとんど機能しないこともある。このため、リボン状電極線から端子板の端部が離間して接続不良が起こるおそれがある。また、太陽電池モジュールに端子ボックス自体を接着した後においても、その接着状態の変化により、太陽電池モジュールに対して端子ボックスの位置がずれてしまうこともある。この場合も、リボン状電極線に対して端子板の端部が変位しようとするため、リボン状電極線から端子板の端部が離間して接続不良が起こるおそれがある。
【０００６】
本発明は、太陽電池モジュールに設けられた電極部と端子板との相対移動による両者の接続不良を防止できる太陽電池モジュール用端子を提供することを目的としている。
【課題を解決するための手段】
【０００７】
本発明の太陽電池モジュール用端子の特徴構成は、太陽電池により発生する電流を外部に出力するよう太陽電池モジュールの裏面側に設けられた電極部に電気的に接続される太陽電池モジュール用端子であって、同一平面上に並設された４つの端子本体と、前記電極部に対して固着される４つの固定部とを備えるとともに、前記端子本体及び前記固定部が予め予測される前記電極部の変位方向に沿って互いに移動可能になるよう、外側の２つの前記端子本体及び２つの前記固定部との間に各々第１変形部を設けると共に内側の２つの前記端子本体及び２つの前記固定部との間に各々第２変形部を設けてあり、前記第１変形部は前記電極部の長手方向に沿って撓むＵ字状の折り曲げ部を有し、前記折り曲げ部は前記太陽電池モジュールの裏面から離間する方向に突出するよう形成され、前記第１変形部の端子本体側から前記折り曲げ部の折り返し部までの前記太陽電池モジュールの裏面に対する垂直方向における距離を前記固定部から前記第１変形部の端子本体側までの同方向における距離よりも長くし、前記第２変形部は、前記端子本体の端部に立設して前記太陽電池モジュールの裏面に沿う第１方向に突出する第１突出部と、当該第１方向に直交する第２方向に突出し前記固定部と繋がった第２突出部とを有し、２つの前記第１変形部に繋がった２つの前記固定部の先端は互いに対向し、２つの前記第２変形部に繋がった２つの前記固定部は、２つの前記第１変形部に繋がった２つの前記固定部よりも内側にあって、且つ、２つの前記第２変形部に繋がった２つの前記固定部の先端は互いに対向している点にある。
【０００８】
太陽電池モジュールに設けられた電極部の電極線が温度変化の影響等を受けて伸縮すると電極部は変位し、電極部の変位に追随して端子側の固定部も移動する。この場合に、本構成のように、端子本体及び固定部が予め予測される電極部の変位方向に沿って互いに移動可能になるよう変形部を介して配置してあると、電極線の伸縮等により電極部が変位したとしても、変形部が変形することで端子本体に対する固定部の移動が許容される。その結果、太陽電池モジュールの電極部と端子側の固定部との良好な接続状態が維持される。
また、外力等により太陽電池モジュールの電極部と端子本体とが相対移動した場合にも、変形部が変形することで太陽電池モジュールの電極部と端子側の固定部との良好な接続状態が維持される。
【０００９】
【００１０】
本構成のように、変形部がＵ字状の折り曲げ部を有することで、太陽電池モジュールの電極部と端子本体とが相対移動したとしても、Ｕ字状の折り曲げ部の曲率が変更されたり、当該部分がねじれたり撓んだりして変形部が変形するため、端子本体と固定部との距離の変化を吸収できる。その結果、太陽電池モジュールの電極部と端子側の固定部との接触状態が維持される。また、Ｕ字状の折り曲げ部によって変形部を簡易に構成することができる。
【００１１】
【００１２】
本構成のように、Ｕ字状の折り曲げ部を太陽電池モジュールの裏面から離間する方向に突出させて形成すると、外力等を受けて太陽電池モジュールの電極部と端子本体とが太陽電池モジュールの裏面に垂直な方向において相対移動した際に、Ｕ字状の折り曲げ部に太陽電池モジュールの裏面に垂直な方向への曲げ力が作用して変形する。その結果、太陽電池モジュールの裏面に垂直な方向における太陽電池モジュールの電極部と端子本体との相対移動が許容される。
【００１３】
このとき、仮に、変形部の端子本体側から折り曲げ部の折り返し部までの当該垂直方向における距離が固定部から変形部の端子本体側までの同方向における距離よりも短いと、Ｕ字状の折り曲げ部は曲げ力が作用する部分が短くなることから変形する際の柔軟性が損なわれるおそれがある。しかし、本構成のように、変形部の端子本体側から折り返し部までの当該垂直方向における距離を固定部から変形部の端子本体側の同方向における距離より長くすると、Ｕ字状の折り曲げ部は曲げ力が作用する部分の長さが十分に確保されるので変形する際の柔軟性も維持され易い。その結果、太陽電池モジュールの裏面に垂直な方向における太陽電池モジュールの電極部と端子本体との相対移動がより確実に許容され、太陽電池モジュールの電極部と端子側の固定部との接続状態が良好に維持される。
【００１４】
本発明の太陽電池モジュール用端子ボックスの特徴構成は、同一平面上に並設された４つの端子本体と、太陽電池により発生する電流を外部に出力するよう太陽電池モジュールの裏面側に設けられた電極部に電気的に固着される４つの固定部とを有し、前記端子本体及び前記固定部が予め予測される前記電極部の変位方向に沿って互いに移動可能になるよう、外側の２つの前記端子本体及び２つの前記固定部との間に各々第１変形部を設けると共に内側の２つの前記端子本体及び２つの前記固定部との間に各々第２変形部を設けてあり、前記第１変形部は前記電極部の長手方向に沿って撓むＵ字状の折り曲げ部を有し、前記折り曲げ部は前記太陽電池モジュールの裏面から離間する方向に突出するよう形成され、前記第１変形部の端子本体側から前記折り曲げ部の折り返し部までの前記太陽電池モジュールの裏面に対する垂直方向における距離を前記固定部から前記第１変形部の端子本体側までの同方向における距離よりも長くし、前記第２変形部は、前記端子本体の端部に立設して前記太陽電池モジュールの裏面に沿う第１方向に突出する第１突出部と、当該第１方向に直交する第２方向に突出し前記固定部と繋がった第２突出部とを有し、２つの前記第１変形部に繋がった２つの前記固定部の先端は互いに対向し、２つの前記第２変形部に繋がった２つの前記固定部は、２つの前記第１変形部に繋がった２つの前記固定部よりも内側にあって、且つ、２つの前記第２変形部に繋がった２つの前記固定部の先端は互いに対向している太陽電池モジュール端子を備える点にある。
【００１５】
本構成のように、太陽電池モジュール用端子ボックスに、前記端子本体及び前記固定部が予め予測される前記電極部の変位方向に沿って互いに移動可能になるよう前記端子本体及び前記固定部との間に変形部を設けてある太陽電池モジュール端子を備えることで、電極線の伸縮等によって電極部が変位したとしても、変形部が変形することで端子本体に対する固定部の移動が許容される。その結果、太陽電池モジュールの電極部と端子側の固定部との安定的な接続状態が実現され、太陽電池による電気出力が安定する。
【図面の簡単な説明】
【００１６】
【図１】太陽電池モジュールの裏面の構造を示す概略図
【図２】太陽電池モジュール用端子ボックスの平面図
【図３】太陽電池モジュール用端子ボックスの取付け工程を示す図であって、（ａ）は取付け前、（ｂ）は取付け後の太陽電池モジュールを示す。
【図４】端子板の裏面側斜視図
【図５】（ａ）は図４のＶａ方向視の端子板の平面図であり、（ｂ）図５のＶｂ−Ｖｂ矢視断面における端子板と太陽電池モジュールとの接合状態を示す図である。
【図６】別実施形態の変形部を示す図
【発明を実施するための形態】
【００１７】
以下、本発明の太陽モジュール用端子の実施例を図面に基づいて説明する。
【００１８】
図１乃至図３に示されるように、太陽電池モジュール１０は、太陽電池本体１１と、ガラスまたはプラスチック等の透過性を有する材料からなる表面部材１２と、例えばアルミ箔の両面を樹脂フィルムで挟んだ構造を有する材料からなる裏面部材１３と、とを備える。
【００１９】
太陽電池モジュール１０にはリボン状電極線１４が埋設されており、図３に示されるように、裏面部材１３から電極端部１４ａが露出している。この電極端部１４ａが太陽電池の電力を外部に出力するための電極部であり、裏面部材１３に密着固着されている。リボン状電極線１４は温度変化等の影響を受けて長手方向に伸縮する場合がある。リボン状電極線１４が伸縮すると、電極端部１４ａも例えばＸ軸（左右）方向に変位する。なお、太陽電池モジュール１０の電極部は裏面部材１３の一部を除去することでリボン状電極線１４の電極端部１４ａが外面に露出されていてもよい。
【００２０】
端子ボックス２０は、底板２１と側壁２２と図示しない蓋板により箱形に形成されている。端子ボックス２０の内部には、外部接続端子板２３，２４と、中間端子板２５，２６が配置されている。平面視において、外部接続端子板２３，２４が左右両側に配置され、外部接続端子板２３の内側に中間端子板２５、外部接続端子板２４の内側に中間端子板２６が配置されている。太陽電池モジュール１０のリボン状電極線１４は夫々、外部接続端子板２３，２４、中間端子板２５，２６に接続されている。
【００２１】
底板２１は端子ボックス２０を太陽電池モジュール１０に取り付けたときに太陽電池モジュール１０の裏面部材１３に面する筐体の部分である。図２及び図３に示すように、底板２１には開口部２１ａが形成されており、太陽電池モジュール１０に端子ボックス２を取り付けた際に、太陽電池モジュール１０から露出する電極端部１４ａが開口部２１ａを介して端子ボックス２０内に配置された端子板２３〜２６に接続される。外部接続用ケーブル３１には外部接続端子板２３が接続され、外部接続用ケーブル３２には外部接続端子板２４が接続されている。
【００２２】
端子板同士はダイオード２７によって接続されている。外部接続端子板２３と中間端子板２５との間にはダイオード２７ａが配置され、中間端子板２５と中間端子板２６との間には、２個のダイオード２７ｂ，２７ｃが離間した状態で並列に配置され、中間端子板２ ６と外部接続端子板２４との間にはダイオード２７ｄが配置されている。
【００２３】
ダイオード２７は、太陽電池モジュール１０の起電力が低下したときに逆方向電圧の印加による電流を一方の外部接続用ケーブル３０から他方の外部接続用ケーブル３０へ短絡させるためのバイパスダイオードである。太陽電池モジュール１０は様々な理由によりパネルの起電力が低下することがある。太陽電池モジュール１０を構成するセルの一部の破損や、建物の影や降雪等の影響により太陽電池モジュール１０を構成するセルの一部への太陽光の入射が遮られると、その太陽電池モジュール１０での起電力が低下してしまう場合がある。この場合、正常に発電している他の太陽電池モジュール１０で発生した電圧が起電力の低下した太陽電池モジュール１０に逆方向電圧という形で印加されることになる。そうなると、太陽電池モジュール全体の発電量を低下させるのみならず、起電力が低下した太陽電池モジュール１０での異常発熱現象（ホットスポット）の発生をもたらす。バイパスダイオードはかかる発電量の低下及び異常発熱現象の発生を防止するために設けられるものであり、逆方向電圧の印加時の電流を一方の外部接続用ケーブル３０から他方の外部接続用ケーブル３０へ短絡させ、起電力の低下した太陽電池モジュール１０をバイパスさせる役割を果たす。
【００２４】
太陽電池モジュール１０に対する端子ボックス２０の取り付け方法を図３（ａ）、図３（ｂ）に基づいて説明する。図３（ａ）に示されるように、太陽電池モジュール１０の裏面部材１３には、リボン状電極線１４の電極端部１４ａが上下２列、左右２つの４つ（２対）露出している。この４つの電極端部１４ａの位置に、端子ボックス２０の端子板２３〜２６の固定部２３Ｂ〜２６Ｂを半田付け等で固着する。また、別途、太陽電池モジュール１０の裏面部材１３に対し端子ボックス２０の底面を接着させる。こうして、図３（ｂ）に示すように、太陽電池モジュール１０に対する端子ボックス２０の取り付けが完了する。
【００２５】
図４は太陽電池モジュール用端子の裏面の斜視図であり、図５（ａ）は図４のＶａ−Ｖa矢視の太陽電池モジュール用端子の平面図であり、図５（ｂ）は図５(a)のＶｂ−Ｖｂ矢視断面における端子板と太陽電池モジュールとの接合状態を示す図である。
【００２６】
図４及び図５（ａ）、図５（ｂ）に示されるように、外部接続端子板２３，２４は、端子本体２３Ａ，２４Ａと、太陽電池モジュール１０の電極端部１４ａに固着される固定部２３Ｂ，２４Ｂとを備え、端子本体２３Ａ，２４Ａと固定部２３Ｂ，２４Ｂとの間に変形部２３Ｃ，２４Ｃを設けてある。変形部２３Ｃ，２４Ｃは、太陽電池モジュール１０の裏面に沿う左右（Ｘ軸）方向に突出する。ここで、当該左右（Ｘ軸）方向は、予め予測される電極端部１４ａの変位方向である。
【００２７】
変形部２３Ｃ，２４Ｃの一部には太陽電池モジュール１０の裏面から垂直方向に離間する向きにＵ字状の折り曲げ部Ａ１，Ａ２が形成され、Ｕ字状の折り曲げ部Ａ１，Ａ２に矩形状の固定部２３Ｂ，２４Ｂが連続して設けられている。Ｕ字状の折り曲げ部Ａ１，Ａ２は、太陽電池モジュール１０の裏面上の左右（Ｘ軸）方向においてはＵ字状の部分の開閉により変形する。すなわち、変形部２３Ｃ，２４Ｃによって端子本体２３Ａ，２４Ａ及び固定部２３Ｂ，２４Ｂが予め予測される電極端部１４ａの変位方向に沿って互いに移動可能となる。なお、Ｕ字状の折り曲げ部Ａ１，Ａ２、固定部２３Ｂ，２４Ｂは端子ボックス２０の左右（Ｘ軸）方向の対称位置に設けられており、太陽電池モジュール１０の一対の電極端部１４ａの位置に対応している。
【００２８】
外部接続端子板２３,２４は、太陽電池モジュール１０の電極端部１４ａに端子側の固定部２３Ｂ、２４Ｂが半田等で固着接続される。この状態から、温度変化によりリボン状電極線１４が伸縮して電極端部１４ａが例えば左右（Ｘ軸）方向に変位したとしても、Ｕ字状の折り曲げ部Ａ１、Ａ２の曲率が変更されたり、当該部分がねじれたり撓んだりして変形部２３Ｃ，２４Ｃが変形する。これにより、端子本体２３Ａ，２４Ａの位置が保持された状態で固定部２３Ｂ，２４Ｂの移動が許容される。その結果、太陽電池モジュール１０の電極端部１４ａと端子側の固定部２３Ｂ，２４Ｂとの良好な接続状態が維持される。
【００２９】
外力等により太陽電池モジュール１０の電極端部１４ａと端子本体２３Ａ，２４Ａとが相対移動した場合にも、Ｕ字状の折り曲げ部Ａ１、Ａ２の曲率が変化して変形部２３Ｃ，２４Ｃが変形する。その結果、太陽電池モジュール１０の電極端部（電極部）１４ａと端子側の固定部２３Ｂ，２４Ｂとの接続状態が維持される。
【００３０】
太陽電池モジュール１０の電極端部１４ａと端子本体２３Ａ，２４Ｂとは、太陽電池モジュール１０の裏面に垂直な方向（Ｚ軸方向）において、外力等の影響を受けて相対移動する場合がある。そこで、本実施形態では、Ｕ字状の折り曲げ部Ａ１，Ａ２を太陽電池モジュール１０の裏面から離間する方向に突出させて形成している。これにより、外力等を受けて太陽電池モジュール１０の電極端部１４ａと端子本体２３Ａ，２４Ｂとが太陽電池モジュール１０の裏面に垂直な方向に相対移動した際に、Ｕ字状の折り曲げ部Ａ１，Ａ２に太陽電池モジュール１０の裏面に垂直な方向への曲げ力が作用して変形部２３Ｃ，２４Ｃが変形する。その結果、太陽電池モジュール１０の電極端部１４ａと端子本体２３Ａ，２４Ａとの太陽電池モジュール１０の裏面に垂直な方向における相対移動が許容される。
【００３１】
このとき、仮に、変形部２３Ｃ，２４Ｃの端子本体２３Ａ，２４Ａ側から折り曲げ部Ａ１，Ａ２の折り返し部Ａ１ａ，Ａ２ａまでの当該垂直方向における距離Ｌ１が固定部２３Ｂ，２４Ｃから変形部２３Ｃ，２４Ｃの端子本体２３Ａ，２４Ａ側までの同方向における距離Ｌ２よりも短いと、Ｕ字状の折り曲げ部Ａ１，Ａ２において曲げ力が作用する部分が短くなるので曲げ変形する際の柔軟性が損なわれるおそれがある。しかし、本実施形態のように、変形部２３Ｃ，２４Ｃの端子本体２３Ａ，２４Ａ側から折り返し部Ａ１ａ，Ａ２ａまでの当該垂直方向における距離Ｌ１を固定部２３Ｂ，２４Ｂから変形部２３Ｃ，２４Ｃの端子本体２３Ａ，２４Ａ側の同方向における距離Ｌ２より長くすると、Ｕ字状の折り曲げ部Ａ１，Ａ２において曲げ力が作用する部分の長さが十分確保されることとなり曲げ変形する際の柔軟性が維持され易い。その結果、太陽電池モジュール１０と端子本体２３Ａ，２４Ａとの太陽電池モジュール１０の裏面に垂直な方向への相対移動がより確実に許容され、太陽電池モジュール１０の電極端部（電極部）１４ａと端子側の固定部２３Ｂ，２４Ｂとの接続状態が良好に維持される。
【００３２】
中間端子板２５，２６は、端子本体２５Ａ，２６Ａと、太陽電池モジュール１０の電極端部１４ａに固着される固定部２５Ｂ，２６Ｂとを備え、端子本体２５Ａ，２６Ａと固定部２５Ｂ，２６Ｂとの間に変形部２５Ｃ，２６Ｃを設けてある。変形部２５Ｃ，２６Ｃは、端子本体２５Ａ，２６Ａから太陽電池モジュール１０の裏面に沿う第１方向（上方）に突出する第１突出部２５Ｃ１，２６Ｃ１と、当該第１方向（上方）に直交する第２方向（底板２１の開口部２１ａの方向）に突出する第２突出部２５Ｃ２，２６Ｃ２とを有する。第２突出部２５Ｃ２，２６Ｃ２に矩形状の固定部２５Ｂ，２６Ｂが連続して設けられている。変形部２５Ｃ，２６Ｃは全体としてＬ状の薄板であって、端子本体２５Ａ，２６Ａに端部に立設し底板２１の開口部２１ａの方向に屈曲する。
【００３３】
中間端子板２５,２６は、太陽電池モジュール１０の電極端部１４ａに端子側の固定部２５Ｂ、２６Ｂが半田等で固着接続される。この状態から、温度変化によりリボン状電極線１４が伸縮し電極端部１４ａが例えば左右（Ｘ軸）方向に変位したとしても、第１突出部２５Ｃ１、２６Ｃ１の端子本体２５Ａ，２６Ａ側の基部を中心に変形部２５Ｃ，２６Ｃの他の部分が太陽電池モジュール１０の裏面に沿って撓んで変形する。こうして、変形部２５Ｃ，２６Ｃによって端子本体２５Ａ，２６Ａ及び固定部２５Ｂ，２６Ｂが予め予測される電極端部１４ａの変位方向に沿って互いに移動可能となる。その結果、太陽電池モジュール１０の電極端部１４ａと端子側の固定部２５Ｂ，２６Ｂとの良好な接続状態が維持される。このように、端子本体２５Ａ，２６Ａ及び固定部２５Ｂ，２６Ｂは、予め予測される電極端部１４ａの変位方向に沿って互いに移動できるよう変形部２５Ｃ，２６Ｃを介して配置されている。なお、変形部２５Ｃ，２６Ｃ及び固定部２５Ｂ，２６Ｂは、端子ボックス２０の左右（Ｘ軸）方向の対称位置に設けられており、太陽電池モジュール１０の一対の電極端部１４ａの位置に対応している。
【００３４】
外力等により太陽電池モジュール１０の電極端部１４ａと端子本体２５Ａ，２６Ａとが例えば太陽電池モジュール１０の裏面に垂直な方向（Ｚ軸方向）に相対移動する場合には、第１突出部２５Ｃ１、２６Ｃ１の基部が撓んで変形する。これにより、太陽電池モジュール１０の電極端部１４ａに対する端子側の固定部２５Ｂ，２６Ｂの垂直（Ｚ軸）方向の変位が第１突出部２５Ｃ１、２６Ｃ１及び第２突出部２５Ｃ２、２６Ｃ２により吸収される。その結果、太陽電池モジュール１０の電極端部（電極部）１４ａと端子側の固定部２３Ｂ、２４Ｂとの接続状態が維持される。
【００３５】
また、太陽電池モジュール１０の電極部１４ａと端子本体２５Ａ，２６Ａとが例えば上下（Ｙ軸）方向に相対移動する場合には、第１突出部２５Ｃ１、２６Ｃ１から第２突出部２５Ｃ２、２６Ｃ２に連続する部分が撓んで変形する。これにより、太陽電池モジュール１０の電極端部１４ａに対する端子側の固定部２５Ｂ，２６Ｂの変位が抑制され、電極端部（電極部）１４ａと固定部２５Ｂ，２６Ｂとの接続状態が維持される。
【００３６】
[別実施形態]
（１）上記の実施形態の外部接続端子板２３，２４の変形部２３Ｃ、２４Ｃについては、例えば、図６に示すように、Ｕ字状の折り曲げ部Ａ１，Ａ２の上下（Ｙ軸）方向の両側に切欠きＣや切れ目等を設けてもよい。こうすると、Ｕ字状の折り曲げ部Ａ１，Ａ２の上下幅方向に形成されるので、この幅狭な部分によってＵ字状の折り曲げ部Ａ１，Ａ２が捻れやすくなる。その結果、太陽電池モジュール１０の電極部１４ａと端子本体２３Ａ，２４Ａとが上下（Ｙ軸）方向に相対移動した際に、Ｕ字状の折り曲げ部Ａ１，Ａ２に十分な捻れが発生して両者の相対移動が許容される。
【００３７】
（２）上記の実施形態では、予め予測される電極端部（電極部）１４ａの変位方向として、太陽電池モジュール１０の裏面に沿う左右（Ｘ軸）方向を例に説明したが、これに代えて、左右（Ｘ軸）方向以外の太陽電池モジュール１０の裏面に沿う方向や、太陽電池モジュール１０の裏面に垂直（Ｚ軸）方向であってもよい。
【００３８】
（３）上記の実施形態では、変形部２３Ｃ〜２６Ｃを端子本体２３Ａ〜２６Ａと一体的に形成したが、変形部２３Ｃ〜２６Ｃは端子本体２３Ａ〜２６Ａとは別部材で構成してもよい。
【００３９】
（４）上記の実施形態では、中間端子板２５，２６の第２突出部２５Ｃ２，２６Ｃ２を、底板２１の開口部２１ａに向けて突出する（太陽電池モジュール１０の裏面に対して直交する）構成にしたが、これに代えて、第１突出部２５Ｃ１，２６Ｃ１を太陽電池モジュール１０の裏面上に沿うように構成してもよい。また、中間端子板２５，２６の第１突出部２５Ｃ１，２６Ｃ１は、平面視において、端子本体２５Ａ、２６Ａから斜め上方に向けて設けてもよいし、第１突出部２５Ｃ１，２６Ｃ１と第２突出部２５Ｃ２，２６Ｃ２は、平面視において、くの字状に形成してもよい。
【００４０】
（５）上記の実施形態では、外部接続端子板２３，２４の変形部２３Ｃ，２４ＣがＵ字状の折り曲げ部Ａ１，Ａ２を有する構成としたが、中間端子板２５，２６の第１突出部２５Ｃ１，２６Ｃ１又は第２突出部２５Ｃ２、２６Ｃ２がＵ字状の折り曲げ部を有する構成にしてもよい。また、外部接続端子板２３，２４の変形部２３Ｃ，２４Ｃ及び中間端子板２５，２６の変形部２５Ｃ，２６Ｃを全て同じにしてもよい。
【００４１】
（６）上記の実施形態では、変形部２３Ｃ，２４ＣにＵ字状の折り曲げ部Ａ１，Ａ２を有する端子板を例にして説明したが、折り曲げ部Ａ１，Ａ２の形状は、Ｕ字状以外のＶ字や波形であってもよい。また、端子板の変形部２３Ｃ〜２６Ｃを弾性部材で構成してもよい。
【００４２】
（７）上記の実施形態では、端子ボックス２０の内部に配置されている端子板として、外部接続端子板２３，２４と共に２つの中間端子板２５，２６を備える構成を示したが、本発明に係る端子ボックスおいて、中間端子板を全く備えない構成でもよく、また、中間端子板を３つ以上備える構成にしてもよい。
【産業上の利用可能性】
【００４３】
本発明の太陽電池モジュール用端子及び端子ボックスは、太陽電池モジュールの出力電極の伸縮による変位のみならず、太陽電池モジュールと端子ボックスとの相対的な変位に対しても電気的な接続状態を良好に維持することができる。
【符号の説明】
【００４４】
１０  太陽電池モジュール
１４  リボン状電極線
１４ａ  電極端部（電極部）
２０  端子ボックス
２３，２４  外部接続端子板
２３Ａ、２４Ａ  端子本体
２３Ｂ，２４Ｂ  固定部
２３Ｃ，２４Ｃ  変形部
２５，２６  中間端子板
２５Ａ、２６Ａ  端子本体
２５Ｂ，２６Ｂ  固定部
２５Ｃ，２６Ｃ  変形部
２５Ｃ１，２６Ｃ１  第１突出部
２５Ｃ２，２６Ｃ２  第２突出部
３０，３１，３２  外部接続用ケーブル
Ａ１，Ａ２  折り曲げ部
【図１】
0005605909.tif 000002
【図２】
0005605909.tif 000003
【図３】
0005605909.tif 000004
【図４】
0005605909.tif 000005
【図５】
0005605909.tif 000006
【図６】
0005605909.tif 000007